(57)【要約】【課題】  複数の管理項目について、いかなる時間帯であってもスケジュールの確認が容易で、誤認しにくいスケジュール管理装置を得る。【解決手段】  スケジュール管理装置１０は、基部１２に立てられた軸１４を含み、軸１４に回転可能に円筒状のタイムチャート保持部１６が取り付けられる。タイムチャート保持部１６の周回側面に、時間軸２０が表示されたタイムチャート部１８が取り付けられる。タイムチャート部１８の表面に沿って移動可能に、項目表示部２２が取り付けられる。項目表示部２２には、時間軸２０と交差する向きに、複数の管理項目が表示される。管理項目に対応してタイムチャート部１８に形成された管理領域２４に、色分けなどによって、作業の発生タイミングや所要時間などが表示される。【選択図】    図１
2006259214.tif 000002
【特許請求の範囲】
【請求項１】
時間軸が表示され、前記時間軸の始端と終端とがつながるように無端状に形成されるタイムチャート部、
前記タイムチャート部を前記時間軸の方向に順送り可能に保持するタイムチャート保持部、および
前記タイムチャート部とは独立して設けられ、前記時間軸と交差する向きに管理項目が表示された項目表示部を含み、
前記項目表示部に表示された全ての前記管理項目および前記時間軸の一部が視認可能である、スケジュール管理装置。
【請求項２】
前記タイムチャート保持部は円筒状に形成され、前記タイムチャート保持部の外周面に前記タイムチャート部が保持される、請求項１に記載のスケジュール管理装置。
【請求項３】
前記タイムチャート保持部は一対のプーリで形成され、一対の前記プーリを周回するようにして前記タイムチャート部が保持される、請求項１に記載のスケジュール管理装置。
【請求項４】
前記項目表示部は、前記タイムチャート部の表面に沿ってスライド可能に設けられる、請求項１ないし請求項３のいずれかに記載のスケジュール管理装置。
【請求項５】
前記項目表示部に表示された管理項目ごとに前記タイムチャート部表面の前記時間軸に沿って貼付される情報表示札を含む、請求項１ないし請求項４のいずれかに記載のスケジュール管理装置。
【発明の詳細な説明】
【技術分野】
【０００１】
この発明は、スケジュール管理装置に関し、特にたとえば、工場などにおける複数の設備や作業について、そのスケジュールをタイムチャートとして掲示するためのスケジュール管理装置に関する。
【背景技術】
【０００２】
工場などにおいては、複数の設備や作業についてのスケジュールがタイムチャートとして作成され、このタイムチャートがスケジュール管理表として掲示されている。このようなスケジュール管理表１としては、たとえば図４に示すように、平板２上に縦軸と横軸が設けられ、縦軸に設備名が表示されるとともに、横軸に２４時間が分単位で表示されたものが用いられる。そして、各設備において、作業を行うタイミングを示す情報表示札３が、時間を示す横軸に沿って貼付される。情報表示札３には、所要の作業時間が色分けされて表示されており、この情報表示札３を平板２の横軸に沿って貼付することにより、各設備における作業スケジュールを表示することができる。このようなスケジュール管理表１を用いることにより、各設備における作業の発生タイミングおよび所要時間が表示される。したがって、スケジュール管理表を見ることにより、各設備における作業を事前に確認することができ、設備稼働ロスや品質ロスが生じないように、作業者のフットワークや処理開始タイミングなどを決定することができる。
【０００３】
ところが、２４時間稼動の工場においては、工程に区切りというものがなく、図４に示すように、日付を跨ぐような作業がある場合、平板２から情報表示札３がはみ出し、日付を跨ぐ情報表示札３を０時から始まる箇所に貼り替えなければならない。また、このようなスケジュール管理表１では、日付を跨ぐ作業について、１日の終わり（２４時）と始まり（０時）が視覚的につながらず、誤認作業の原因となる恐れもある。
【０００４】
なお、コンピュータを用いたスケジュール管理においては、時間軸を２４時間で区切る必要はなく、日付を跨ぐ作業も連続してタイムチャート上に表示することができる（特許文献１、特許文献２参照）。また、図５に示すように、回転可能に保持された円筒状または角筒状のドラム４の表面に、週間表示したメモ書き用ボード５があり、このメモ書き用ボード５にスケジュールを記入すれば、日付を跨ぐ作業を連続して表示することができる（特許文献３参照）。
【０００５】
【特許文献１】特開２００２−２４４９０号公報
【特許文献２】特開２００２−４１７３６号公報
【特許文献３】特開平６−２１０９９２号公報
【発明の開示】
【発明が解決しようとする課題】
【０００６】
しかしながら、特許文献１や特許文献２に示されるスケジュール管理においては、日付を跨ぐ作業をディスプレイ上に表示することはできるが、工場などで全作業者が確認できるようにするには、コンピュータで作成したタイムチャートを印刷して掲示板などに掲示する必要がある。その場合、どこかの時間においてタイムチャートが切れてしまうことは避けられず、タイムチャートの区切りを跨ぐ作業について、誤認作業の原因となる恐れがある。
【０００７】
また、特許文献３のように、回転可能なドラムの表面にスケジュールを記入すれば、連続的な作業を途切れることなく表示することが可能である。しかしながら、工場においては、複数の設備が並行して稼動しているため、各設備について、このようなメモ書き用ボードを使用すると、多数のメモ書き用ボードを設置する必要がある。また、個々のメモ書き用ボードに各設備のスケジュールを記入すると、それぞれの設備間の作業タイミングの関係が把握できない。
【０００８】
それゆえに、この発明の主たる目的は、複数の管理項目について、いかなる時間帯であってもスケジュールの確認が容易で、誤認しにくいスケジュール管理装置を提供することである。
【課題を解決するための手段】
【０００９】
この発明は、時間軸が表示され、時間軸の始端と終端とがつながるように無端状に形成されるタイムチャート部と、タイムチャート部を時間軸の方向に順送り可能に保持するタイムチャート保持部と、タイムチャート部とは独立して設けられ、時間軸と交差する向きに管理項目が表示された項目表示部とを含み、項目表示部に表示された全ての管理項目および時間軸の一部が視認可能である、スケジュール管理装置である。
このようなスケジュール管理表において、タイムチャート保持部を円筒状に形成することができ、この場合、タイムチャート保持部の外周面にタイムチャート部が保持される。
また、タイムチャート保持部は一対のプーリで形成されてもよく、この場合、一対のプーリを周回するようにしてタイムチャート部が保持される。
さらに、項目表示部は、タイムチャート部の表面に沿ってスライド可能に設けられることが好ましい。
また、項目表示部に表示された管理項目ごとにタイムチャート部表面の時間軸に沿って貼付される情報表示札が含まれてもよい。
【００１０】
タイムチャート部を時間軸の始端と終端とがつながるように無端状に形成することにより、タイムチャート上にスケジュールを表示するときに、時間の区切りがなくなり、日付を跨ぐ作業についても連続して表示することができる。また、時間軸と交差する向きに管理項目を表示することにより、複数の管理項目についてのスケジュールを１つのタイムチャート上に表示することができる。そして、全ての管理項目および時間軸の一部が視認可能となるようにすることにより、それぞれの管理項目間の作業タイミングの関係を把握することができる。
このようなスケジュール管理表において、タイムチャート保持部を円筒状に形成し、その表面にタイムチャート部を保持することにより、タイムチャート保持部を回転させて、全ての時間帯の作業スケジュールを確認することができる。
また、タイムチャート保持部を一対のプーリで形成し、これらのプーリを周回するようにタイムチャート部を保持した場合においても、プーリを回転させることにより、タイムチャート部が周回するように移動し、全ての時間帯の作業スケジュールを確認することができる。
さらに、項目表示部をタイムチャートの表面に沿ってスライド可能とすることにより、所望の時間帯に項目表示部を移動させることができ、各管理項目について、所望の時間帯における作業スケジュールを確認することができる。
また、タイムチャート部表面の時間軸に沿って貼付される情報表示札を形成することにより、作業の発生タイミングや作業時間を表示した情報表示札をタイムチャート部に貼付するだけで、スケジュールを作成することができる。したがって、作業時間のシフトなどがあっても、記入した作業スケジュールを消したりする必要がなく、容易に対応することができる。
【発明の効果】
【００１１】
この発明によれば、タイムチャート部の時間軸を無端状とすることにより、管理項目のスケジュールを途切れることなく表示することができる。そのため、視覚的にも連続した作業スケジュールとすることができ、誤認作業の発生を抑えることができる。また、タイムチャート部の時間軸と交差する向きに管理項目を表示することにより、複数の管理項目について、視覚的にスケジュールの確認を行うことができる。
【００１２】
この発明の上述の目的，その他の目的，特徴および利点は、図面を参照して行う以下の発明を実施するための最良の形態の説明から一層明らかとなろう。
【発明を実施するための最良の形態】
【００１３】
図１は、この発明のスケジュール管理装置の一例を示す斜視図である。スケジュール管理装置１０は、たとえば矩形板状の基部１２を含む。基部１２の中央部には、基部１２の主面に直交するように、円柱状の軸１４が形成される。軸１４には、基部１２から間隔を隔てて、円筒状のタイムチャート保持部１６が回転可能に保持される。
【００１４】
タイムチャート保持部１６の周回側面には、タイムチャート部１８が形成される。タイムチャート部１８においては、タイムチャート保持部１６の周回方向に沿って時間軸２０が表示される。時間軸２０は、タイムチャート保持部１６の軸方向に平行な複数の線で構成される。そして、これらの線の間隔が時間を示し、たとえば１日の始まり（０時）から終わり（２４時）まで、分単位で表示される。さらに、０時と２４時がタイムチャート部１８上でつながれ、無端状の時間軸２０が形成される。
【００１５】
さらに、タイムチャート部１８の表面に沿って、項目表示部２２が形成される。項目表示部２２の両端側は同じ向きに折り曲げられる。そして、タイムチャート保持部１６の両側において、項目表示部２２の両端部が軸１４に回転可能に取り付けられる。タイムチャート部１８の表面において、時間軸２０にほぼ直交するように配置された項目表示部２２には、複数の管理項目が表示される。管理項目としては、たとえば工場における各設備名や作業名などが表示される。これらの管理項目の境界に対応する部分において、時間軸２０に交差するようにして、タイムチャート保持部１６の周回方向に平行な複数の線が引かれ、これらの線の間に各管理項目に対応した管理領域２４が表示される。
【００１６】
管理領域２４には、各管理項目における作業スケジュールが表示される。作業スケジュールは、各管理項目における作業の発生タイミングと、作業の所要時間とが色分けされて表示される。したがって、項目表示部２２側から見ることにより、全ての管理項目と項目表示部２２側における時間軸２０の一部を視認することができる。
【００１７】
このスケジュール管理装置１０では、時間軸２０の始端と終端とがつながれた無端状となっているため、日付を跨ぐ作業においても、所要時間の表示が途切れたりせず、連続した表示を行うことができる。そのため、日付を跨ぐ作業を行う作業者にとっても、このスケジュール表示装置１０を見ることによって、視覚的に作業スケジュールを確認することができ、誤認作業の発生を防ぐことができる。
【００１８】
また、タイムチャート保持部１６および項目表示部２２は、軸１４を中心として回転可能であるため、これらを回転させることにより、全ての時間帯において、各管理項目の作業スケジュールを確認することができる。さらに、複数の管理項目について、１つのタイムチャート部１８上で管理できるため、それぞれの設備間の作業タイミングの関係を視覚的に確認することができる。
【００１９】
このようなスケジュール管理装置１０において、設備などの作業タイミングおよび所要時間について、図２に示すように、タイムチャート部１８の管理領域２４に情報表示札２６を貼付するようにしてもよい。この情報表示札２６は、作業や設備の段取りなどの発生タイミングや所要時間などを色分けして表示されたものであり、一連の総時間が情報表示札２６の長さで表される。情報表示札２６は、たとえばゴム磁石などで形成されることにより、磁性体で形成されたタイムチャート部１８に脱着可能とすることができる。このような情報表示札２６を用いた場合、作業時間のシフトなどがあっても、記入した作業スケジュールを消したりする必要がなく、容易に対応することができる。また、日付を跨ぐような作業について、情報表示札２６を貼り替えることなく表示することができ、視覚的に作業スケジュールの確認を行うことができる。
【００２０】
また、図３に示すように、タイムチャート保持部１６を２つのプーリ３０，３２で構成してもよい。この場合、タイムチャート部１８は、無端ベルト状に形成され、２つのプーリ３０，３２を周回するように掛けわたされる。このタイムチャート部１８上には、２つのプーリ３０，３２を周回する周回方向に沿って、時間軸２０が形成される。そして、一方のプーリ３０の軸３０ａに回転可能に項目表示部２２が取り付けられ、時間軸２０にほぼ直交する向きに複数の管理項目が表示される。さらに、各管理項目に沿って、時間軸２０に管理領域２４が形成される。この管理領域２４に、作業タイミングや所要時間を示す色分け記入が行われたり、情報表示札２６が貼付されることにより、スケジュール管理が行われる。
【００２１】
このようなスケジュール管理装置１０では、項目表示部２２側において、プーリ３０，３２を周回するタイムチャート部１８の約半周分の時間軸２０および全ての管理項目を視認することができる。また、プーリ３０，３２を回転させることによって、タイムチャート部１８が周回するように移動し、所望の時間帯における作業スケジュールを確認することができる。このスケジュール管理装置１０においても、時間軸２０が無端状に形成されているため、日付を跨ぐような作業があっても、表示が途切れたりすることはなく、情報表示札２６を貼り替えたりする必要がない。さらに、複数の管理項目について、１つのタイムチャート部１８上でスケジュール管理ができるため、各管理項目間における作業タイミングの関係を視覚的に確認することができる。
【００２２】
なお、タイムチャート部１８に表示される時間軸２０としては、始端から終端まで２４時間のものに限らず、たとえば２日単位、週単位、月単位などで時間軸２０を形成してもよく、時間軸２０の長さは任意に変更可能である。
【図面の簡単な説明】
【００２３】
【図１】この発明のスケジュール管理装置の一例を示す斜視図である。
【図２】この発明のスケジュール管理装置の他の例を示す斜視図である。
【図３】この発明のスケジュール管理装置のさらに他の例を示す斜視図である。
【図４】従来のスケジュール管理表の一例を示す平面図である。
【図５】スケジュール管理表として用いることができる円筒状のメモ書き用ボードを示す斜視図である。
【符号の説明】
【００２４】
１０  スケジュール管理装置
１２  基部
１４  軸
１６  タイムチャート保持部
１８  タイムチャート部
２０  時間軸
２２  項目表示部
２４  管理領域
２６  情報表示札
３０  プーリ
３２  プーリ
【図１】
2006259214.tif 000003
【図２】
2006259214.tif 000004
【図３】
2006259214.tif 000005
【図４】
2006259214.tif 000006
【図５】
2006259214.tif 000007